(57)【特許請求の範囲】
【請求項１】
元ねじおよび外ねじを有する複式ねじの内締結具に単一ねじの外締結具が螺合する構造であって、
前記内締結具の元ねじおよび外ねじの一方が左ねじであり、他方が右ねじであり、
前記内締結具の外ねじの頂端に歯車が設けられ、前記外締結具の内ねじ頂部に内歯車が設けられ、前記外締結具および前記内締結具はＬ形のレンチにより同時に締付可能であり、前記レンチの出力端、あるいは前記歯車と前記内歯車との間にピニオンが設けられて遊星歯車状をなし、前記レンチを回すことによって前記内締結具と前記外締結具とは互いに逆方向に回転し、締付または緩みの動作を行うことを特徴とする締結具。
【請求項２】
前記内締結具の外ねじの上端に前記外締結具が離脱するのを防ぐナットカバー、スナップリングまたは割ピンのうち一つが設けられ、そのナットカバー、スナップリングまたは割ピンの直径は前記内締結具の外ねじの直径より大きく、前記外締結具と前記内締結具の外ねじとの連結が緩むのを防止することを特徴とする請求項１記載の締結具。
【請求項３】
前記内締結具の元ねじおよび外ねじの両軸は互いに平行かつ偏心状であり、緩み防止の機能を有することを特徴とする請求項１記載の締結具。
【請求項４】
前記内締結具の元ねじおよび外ねじの両軸は曲折しており、斜面を有する工作物に使用可能で緩み脱落を防止することを特徴とする請求項１記載の締結具。
【請求項５】
前記内締結具の元ねじおよび外ねじの両軸は曲折しており、テーパワッシャがさらに組合わせられ、斜面を有する工作物に使用可能であって、前記テーパワッシャが複数使用されることにより角度調整が可能であることを特徴とする請求項１記載の締結具。
【発明の詳細な説明】
【発明の属する技術分野】
本発明は、締結具に関する。
【従来の技術】
従来のボルトおよびナットはそのねじ構造によって連結、締付、微調整または測量などに使用されている。ところが、従来のボルトおよびナットは１本の外ねじまたは内ねじしかなく、微調整または締付に使用される場合、一定の締付効果または微調整効果しか得られない。
市場には初歩的な２本軸のボルトおよびナットが出回っているが、実際に使用すると次の欠点が発見される。
(1)２個型構造に取り替えられる従来の１個型ボルトおよびナットと比較すると、紛失し易い。
(2)２本のねじ軸のねじピッチは特に考慮されておらず、共振環境において緩んでしまう傾向がある。
(3)２本のねじ軸のねじ方向は、その使用範囲の制限が特に考慮されていない。
【発明が解決しようとする課題】
本発明の目的は、小さな力で締付けることが可能であって、高い締付効果および微調整効果を有し、使用範囲が広い締結具を提供することにある。
【課題を解決するための手段】
上述の課題を解決するための本発明の締結具によれば、内締結具に元ねじを設けるほか、締付用または微調整用の外ねじを設けて２本軸ねじの構造にする。その２本のねじの軸は平行かつ偏心状であったり、曲折状であったりし、また各ねじの螺旋方向は反対にしてもよい。外ねじの頂部にはナットカバーを設け、外ねじに固定されている外締結具の離脱紛失を防止する。
【発明の実施の形態】
以下、本発明の実施例を図面に基づいて説明する。
図１から図３に示すように、本発明の一実施例による締結具は、内締結具としてのボルト１に元ねじ１１、あるいは同じく内締結具としてのナット２に内ねじ２１を設けるほか、ボルト１の元ねじ１１の上部に外ねじ１２を設け、またはナット２の外周に外ねじ２２を設ける。これによって、ボルト１の外ねじ１１あるいはナット２の外ねじ２２には外周ナット２’を締付けることができ、ボルト１と外締結具としての外周ナット２’、またはナット２と外周ナット２’を互いに締付け、微調整の機能を得る。
また、図２および図３に示すように、ボルト１に設けられた外ねじ１２あるいはナット２の外ねじ２２の上部に隣接して外周ナット２’の離脱紛失を防止するナットカバー１３、２３をさらに設けてもよい。そのナットカバー１３、２３の直径は外ねじ１２および外ねじ２２の直径よりも大きいので、外周ナット２’とボルト１の外ねじ１２との連結は締付の逆方向に緩むことがなく、外周ナット２’とナット２の外ねじ２２との連結も締付の逆方向に緩むことがなく、これによって外周ナット２’の緩みは防止される。また、図４および図５に示すように、ナットカバー１３、２３はスナップリング１７、２７または割ピン１８、２８に取り替えてもよく、この場合もナットカバー１３、２３と同じ効果が得られる。
図６に示すように、本実施例のボルト１の元ねじ１１および外ねじ１２は螺旋方向が異なり、すなわち左ねじおよび右ねじである。ボルト１を工作物に締付けてから外周ナット２’を締付けた場合、ボルト１には締付機能が発生し、かつ脱落防止の効果を得る。図７に示すように、ナット２の内ねじ２１および外ねじ２２の螺旋方向も異なるので、これによって締付力および緩み防止の効果が得られる。
また、図８に示すボルト１の元ねじ１１および外ねじ１２の軸は互いに平行であるが独立している。図９に示すように、ボルト１の元ねじ１１および外ねじ１２の軸は曲折状を呈してもよく、元ねじ１１を工作物の斜面へねじ込んだあと、外周ナット２’を外ねじ１２にねじ込み、その外周ナット２’の底面を工作物の斜面へ完全に密着させると、ボルト１を斜面を有する工作物へ使用することができ、ボルト１の離脱を防止することができる。図１０に示すナット２の内ねじ２１および外ねじ２２の軸は互いに平行であるが偏心の構造である。図１１に示すナット２の内ねじ２１および外ねじ２２の軸は平行でない偏心の構造であって、斜面を有する工作物に使用することができ、かつ離脱を防止することができる。なお、図１２および図１３に示すように、本実施例の締結具はテーパワッシャ３と組合わせることができ、２本の軸が曲折状をなすボルト１およびナット２は各種の斜面を有する工作物に使用することができ、かつテーパワッシャ３は二つ合わせて使用することにより角度を調整することができる。
また図１４および図１５に示す締結具は、ボルト１の元ねじ１１および外ねじ１２の螺旋方向が異なり、あるいはナット２の内ねじ２１および外ねじ２２の螺旋方向が異なり、ボルト１の外ねじ１２の頂端に歯車１４が設けられ、ナット２の外ねじ２２の頂端にも歯車２４が設けられている。外周ナット２’の内ねじの頂部には直径が大きい内歯車２１’が設けられ、外周ナット２’とボルト１の外ねじ１２あるいはナット２の外ねじ２２とを連結すれば、Ｌ形のレンチ４を使って外周ナット２’とボルト１またはナット２とを同時に締め回すことができる。レンチ４の出力端にはピニオン４１が設けられ、そのピニオン４１は歯車１４、２４および内歯車２１’の間にちょうど噛合可能で遊星歯車のような状態をなし、レンチ４を回すとボルト１またはナット２と外周ナット２’とは逆方向に回転し（図１６参照）、締付けられたり緩められたりする。また、図１７に示すように、ピニオン４２の上部に六角部４２１が設けられ、その六角部４２１によって従来のスパナとしての使用が可能であり、従来のスパナと同じ効果を得る。前述の歯車が設けられた締結具は、大型機械の締付に使用され、省力で堅固な締付効果が得られる。
以上は、本発明の締結具のいろいろな実施例であって、ねじの螺旋方向が同じであるか異なるか、ナットカバーを設けるか設けないか、あるいは２本の軸が同軸上にあるかないかなどの変化はあるが、以上の実施例による２本のねじ軸を有する締結具は全て本発明に含まれ、その締付および微調整機能は幅広く応用される。
また、以上の実施例による締結具は主としてボルト１およびナット２の２本の軸ねじと外周ナット２’とを組合せた構造であり、ボルト１およびナット２を回転させる連結部の構造としては図１８に示すように、外ねじ１２の頂端中央に六角孔１５を形成し、その六角孔１５に入れた手工具を使ってボルト１およびナット２を回転させる。なお、図１９および図２０に示すように、ボルト１の外ねじ１２あるいはナット２の外ねじ２２の上端に六角柱１６、２６を突出させ、工具を使ってその六角柱１６、２６を回転させるようにしてもよい。また図２１に示すように、ボルト１の外ねじ１２の頂端に十字凹溝を形成するようにしてもよく、図２２に示すように、ボルト１の外ねじ１２の頂端に溝を形成するようにしてもよく、あるいは図２３に示すように、ボルト１の外ねじ１２の頂端に星形の孔を形成しても工具と連結できる。
【発明の効果】
本発明の締結具は、ボルトに元ねじ、あるいはナットに内ねじを設けるほか、ボルトまたはナットの外周に外ねじを設け、ボルトまたはナットが２つのねじを有するようにする。これによれば、複数種の締付または微調整を補助する機能を獲得できる。
【図面の簡単な説明】
【図１】  本発明の実施例によるボルトおよび外周ナットを示す断面図である。
【図２】  本発明の実施例によるボルトおよび外周ナットを示す断面図である。
【図３】  本発明の実施例によるナットおよび外周ナットを示す断面図である。
【図４】  本発明の実施例によるナットおよび外周ナットを示す斜視図である。
【図５】  本発明の実施例によるナットおよび外周ナットを示す斜視図である。
【図６】  本発明の実施例によるボルトおよび外周ナットを示す断面図である。
【図７】  本発明の実施例によるナットおよび外周ナットを示す断面図である。
【図８】  本発明の実施例によるボルトおよび外周ナットを示す断面図である。
【図９】  本発明の実施例によるボルトおよび外周ナットを示す断面図である。
【図１０】  本発明の実施例によるナットおよび外周ナットを示す断面図である。
【図１１】  本発明の実施例によるナットおよび外周ナットを示す断面図である。
【図１２】  本発明の実施例によるテーパワッシャを示す斜視図である。
【図１３】  本発明の実施例によるテーパワッシャを示す斜視図である。
【図１４】  本発明の実施例によるボルトおよび外周ナットを示す断面図である。
【図１５】  本発明の実施例によるナットおよび外周ナットを示す断面図である。
【図１６】  本発明の実施例によるナットおよび外周ナットの作動を示す上面図である。
【図１７】  本発明の実施例によるナットおよび外周ナットを示す断面図である。
【図１８】  本発明の実施例によるボルトおよび外周ナットを示す斜視図である。
【図１９】  本発明の実施例によるボルトおよび外周ナットを示す斜視図である。
【図２０】  本発明の実施例によるナットおよび外周ナットを示す斜視図である。
【図２１】  本発明の実施例によるボルトおよび外周ナットを示す斜視図である。
【図２２】  本発明の実施例によるボルトおよび外周ナットを示す斜視図である。
【図２３】  本発明の実施例によるボルトおよび外周ナットを示す斜視図である。
【符号の説明】
１    ボルト
２    ナット
２’    外周ナット
１１    元ねじ
１２、２２    外ねじ
１３、２３    ナットカバー
１７、２７    スナップリング
１８、２８    割ピン
２１    内ねじ
【図１】
0004573931.tif 000002
【図２】
0004573931.tif 000003
【図３】
0004573931.tif 000004
【図４】
0004573931.tif 000005
【図５】
0004573931.tif 000006
【図６】
0004573931.tif 000007
【図７】
0004573931.tif 000008
【図８】
0004573931.tif 000009
【図９】
0004573931.tif 000010
【図１０】
0004573931.tif 000011
【図１１】
0004573931.tif 000012
【図１２】
0004573931.tif 000013
【図１３】
0004573931.tif 000014
【図１４】
0004573931.tif 000015
【図１５】
0004573931.tif 000016
【図１６】
0004573931.tif 000017
【図１７】
0004573931.tif 000018
【図１８】
0004573931.tif 000019
【図１９】
0004573931.tif 000020
【図２０】
0004573931.tif 000021
【図２１】
0004573931.tif 000022
【図２２】
0004573931.tif 000023
【図２３】
0004573931.tif 000024